(57)【要約】【課題】  航空機の化粧室用の自動水栓の改良を図る。【解決手段】  自動水栓１００の本体１１０は、正面からみて、その下面の左側に液体石鹸の供給口２００を有し、供給口２００は、図示しない弁を介して液体石鹸供給タンクに連結される。液体石鹸供給口２００に隣接して液体石鹸供給口用反射型赤外センサ２１０と、液体石鹸供給口用ＬＥＤライト２３０が設けられる。この赤外線波２２０内にユーザの手が差し込まれると、一定量の液体石鹸をユーザの手に供給する。ＬＥＤライト２３０も点灯し、ユーザの手元を照らす。本体１１０の下面の右側には、水供給口３００が設けられ、図示しない弁を介して給水タンクに連結される。水供給口３００に隣接して水供給口用反射型赤外センサ３１０と、水供給口用ＬＥＤライト３３０が設けられる。この赤外線波３２０内にユーザの手が差し込まれると、一定量の水をユーザの手に供給する。ＬＥＤライト３３０も点灯し、ユーザの手元を照らす。【選択図】        図３
2006188902.tif 000002
【特許請求の範囲】
【請求項１】
航空機の化粧室内に設置される自動水栓であって、
半裁された環状の平面形状を有し、手洗い器前面の壁面にとりつけられる自動水栓本体と、自動水栓本体の左側下面に設けられる液体石鹸の供給口と、液体石鹸供給口用反射型赤外センサと、液体石鹸供給口用ＬＥＤライトと、自動水栓本体の右側下面に設けられる水供給口と、水供給口用反射型赤外センサと、水供給口用ＬＥＤライトと、自動水栓本体の右側端部にとりつけられる水の温度調整ダイヤルと、
を備える航空機化粧室用自動水栓。
【請求項２】
水の温度調整ダイヤルは供給する水の温度に反応して色調が変化する照明手段を備える請求項１記載の航空機化粧室用自動水栓。
【発明の詳細な説明】
【技術分野】
【０００１】
本発明は、航空機に搭載される化粧室内に設置される自動水栓に関する。
【背景技術】
【０００２】
航空機化粧室の狭い手洗い器周りに、水栓器具と液体石鹸供給器が点在することは、利用する側にとって合理的であるとは言えなく、両者の間にスペースがあることにより水又は、石鹸水が利用者の手から零れ、手洗い器を汚してしまう為、衛生的とも言えない。
これらを解決すべく本発明に至った。
【発明の開示】
【発明が解決しようとする課題】
【０００３】
民間商用航空機では、客室等の機内空間は運航企業にとって、利益を生む重要な搭載スペースである為、利益確保の目的で、客室や貨物の搭載を最優先させている。このため、直接利益を生まない化粧室等は、通常必要最小限のスペースしか与えられない。一方、不特定多数の人間が利用する航空機の化粧室は、衛生確保の観点から、地上の化粧室同等の設備が求められ、狭い室内に配置されている。小さな手洗い器の周りには、水栓器具の他、液体石鹸供給器も配置されるが、狭い洗面台のスペースを更に狭くしたうえ、使い勝手も良いとは言えず、指先が供給器の影になるなどして、洗浄具合も確認しづらい。
【０００４】
また、掃除のしづらさから衛生状態の確保にも問題がのこる。加えて従来の水栓器具は、水温の状態が分かりづらく、前に利用した乗客が調整した温度によっては、思わぬ高温のお湯が出て、怪我をする可能性もある。
更に、手洗い器周りに、多くの突起物があることにより、航空機の通常運航でも、しばしば遭遇する気流の乱れによる機体の大きな揺れに対し、水栓器具を使用中の乗客が、これらに手や顔などを不意にぶつけ怪我をする可能性がある。
本発明は、上述した不具合を解消する自動水栓を提供するものである。
【課題を解決するための手段】
【０００５】
本発明の自動水栓は、半裁された環状の平面形状を有し、手洗い器前面の壁面にとりつけられる自動水栓本体と、自動水栓本体の左側下面に設けられる液体石鹸の供給口と、液体石鹸供給口用反射型赤外センサと、液体石鹸供給口用ＬＥＤライトと、自動水栓本体の右側下面に設けられる水供給口と、水供給口用反射型赤外センサと、水供給口用ＬＥＤライトと、自動水栓本体の右側端部にとりつけられる水の温度調整ダイヤルと、を備える。
そして、水の温度調整ダイヤルは供給する水の温度に反応して色調が変化する照明手段を備えるものである。
【発明の効果】
【０００６】
この構成により、水栓器具に触れることなく、水、若しくは石鹸水の供給が受けられる。
また、水、若しくは液体石鹸の供給を受けている間は手元が照らされる為、洗浄具合の確認が容易となる。
加えて、水温表示用ＬＥＤライトにより、水温の状態が容易に目視可能となる。
【発明を実施するための最良の形態】
【０００７】
図１は、本発明を適用する航空機用化粧室の概要を示す説明図である。
全体を符号１で示す化粧室は、ハニカムパネル等で構成される化粧室本体１０を有する。
化粧室本体１０は、庭パネル１２、サイドパネル１４等で構成され、開閉式のテーブル１６や天井にとりつけられる照明器具１８等を有する。
化粧室本体１０の内部には、便器４０が設置されるとともに、ダストボックス等を収容する筐体５０が配設される。筐体５０の上部には洗面台６０が設けられ洗面台６０の中央部には手洗い器７０が設けられる。
【０００８】
また、洗面台６０の上面には、ゴミの投入ドア５２もとりつけられる。
洗面台６０の正面の壁パネル２０には、鏡３０がとりつけられる。
そして、手洗い器７０の上部には、本発明の航空機化粧室用自動水栓１００が配設されている。
【０００９】
図２は、航空機化粧室用自動水栓１００の上面図、図３は正面図でる。
航空機化粧室用自動水栓１００は、合成樹脂若しくは、金属を成型してつくられる本体１１０を有する。本体１１０は、環状形状のものを略半裁した平面形状を有する。
本体１１０は、正面からみて、その下面の左側に液体石鹸の供給口２００を有し、供給口２００は、図示しない弁を介して液体石鹸供給タンクに連結される。
液体石鹸供給口２００に隣接して液体石鹸供給口用反射型赤外センサ２１０と、液体石鹸供給口用ＬＥＤライト２３０が設けられる。
【００１０】
液体石鹸供給口用反射型赤外センサ２１０からは符号２２０で示す領域に赤外線波が投射されており、この赤外線波２２０内にユーザの手が差し込まれると、図示しない制御装置が弁を開き、一定量の液体石鹸をユーザの手に供給する。この間に液体石鹸供給口用ＬＥＤライト２３０も点灯し、ユーザの手元を照らす。
本体１１０の下面の右側には、水供給口３００が設けられ、図示しない弁を介して給水タンクに連結される。
水供給口３００に隣接して水供給口用反射型赤外センサ３１０と、水供給口用ＬＥＤライト３３０が設けられる。
【００１１】
水供給口用反射型赤外センサ３１０からは符号３２０で示す領域に赤外線波が投射されており、この赤外線波３２０内にユーザの手が差し込まれると、図示しない制御装置が弁を開き一定量の水をユーザの手に供給する。
この間に、水供給口用ＬＥＤライト３３０も点灯し、ユーザの手元を照らす。
【００１２】
本体１１０の右側の端部には水の温度調整ダイヤル４００が設けられる。ユーザは、この温度調整ダイヤル４００を回転させることにより、水供給口３００から吐出される水の温度を調整することができる。
この温度調整ダイヤル付近には水温表示用ＬＥＤライトが組込んであり、水温が低いときには、例えば青色のＬＥＤが点灯し、高温のときには赤色のＬＥＤが点灯する。この中間の温度のときには、青色と赤色のＬＥＤの光量を変化させて、順次色調を変化させる。
この機能により、ユーザは使用する水温を目視により確認することができる。
【００１３】
図４、図５は、本発明の航空機化粧室用自動水栓１００の使用状態を示す説明図である。
図４において、液体石鹸供給口２００の下方にユーザが手Ｈを差し出すと、液体石鹸供給口２００から一定量の液体石鹸ＬＳが供給される。この間にＬＥＤライトが点灯し、手Ｈの周囲が照明される。
【００１４】
図５において、水供給口３００の下方にユーザが手Ｈを差し出すと、水供給口３００から一定量の水Ｗが供給される。この間にＬＥＤライトが点灯し、手Ｈの周囲が照明される。水温調整ダイヤル４００付近には、水温表示用ＬＥＤライトが組み込まれ、供給される水の温度に応ずる色調で点灯し、ユーザは色調で水温を目視で確認することができる。
本発明の航空機化粧室用自動水栓は以上のように、水栓器具と、液体石鹸供給器を一体化するとともに、これらに赤外センサを用いて自動開閉栓を持たせ、壁面取り付け型にすることで、手洗い器周りのスペースを有効利用できるようにする。
【００１５】
また、水供給口、液体石鹸供給口付近に各々にＬＥＤライトを組み込み、供給を受けている間はＬＥＤライトを点灯させ、手元を明るくする。
加えて、温度調整ツマミ付近に水温表示用ＬＥＤライトを組み込み、ＬＥＤライトの色が低温（青）〜高温（赤）に変色することにより、水温の状態が目視できるようにする。
【００１６】
レバー等の突起物を極力排し、滑らかな一連の曲面で構成されるカバーを持たせることにより、掃除をし易くして衛生状態の確保を容易にすると共に、機体の揺れ等による不慮の怪我の可能性を低減させる。
更に、通常は個々に存在している、本体、カバー、及び取り付け台座までを統合一体化することにより、航空機の装備品として特に懸念される重量の軽減を図ることができる。
【図面の簡単な説明】
【００１７】
【図１】航空機用化粧室の概要を示す説明図。
【図２】航空機化粧室用自動水栓の上面図。
【図３】航空機化粧室用自動水栓の正面図。
【図４】航空機化粧室用自動水栓の使用状態を示す説明図。
【図５】航空機化粧室用自動水栓の使用状態を示す説明図。
【符号の説明】
【００１８】
１  航空機用化粧室
１０  化粧室本体
６０  洗面台
７０  手洗い器
１００  航空機化粧室用自動水栓
１１０  航空機化粧室用自動水栓本体
２００  液体石鹸供給口
２１０  液体石鹸供給口用反射型赤外センサ
２３０  液体石鹸供給口用ＬＥＤライト
３００  水供給口
３１０  水供給口用反射型赤外センサ
３３０  水供給口用ＬＥＤライト
４００  水温調整ダイヤル
【図１】
2006188902.tif 000003
【図２】
2006188902.tif 000004
【図３】
2006188902.tif 000005
【図４】
2006188902.tif 000006
【図５】
2006188902.tif 000007